(57)【要約】【課題】各導電部材に流れる電流によって発生する磁界の干渉を抑制して検出対象の電流を精度よく検出することが可能な電流センサの配置構造、コネクタ、及びワイヤハーネスを提供する。【解決手段】Ｕ，Ｖ，Ｗ相の接続端子２１，２２，２３を有する導電路２に流れる電流を検出する電流センサ５１〜５３の配置構造であって、導電路２は、Ｕ，Ｖ，Ｗ相の接続端子２１，２２，２３が並列配置された第１並列部２ａと、第１並列部２ａよりも広い間隔でＵ，Ｖ，Ｗ相の接続端子２１，２２，２３が並列配置された第２並列部２ｂと、第１並列部２ａから第２並列部２ｂに向かってＵ，Ｖ相の接続端子２１，２２がＷ相の接続端子２３から離間する方向に延在する第３並列部２ｃとを有し、電流センサ５１〜５３は、発生する磁界の向きに感度軸が沿うように、第２又は第３並列部２ｂ，２ｃにおけるＵ，Ｖ，Ｗ相の接続端子２１，２２，２３に近接して配置されている。【選択図】図３
2015155877.tif 000002
【特許請求の範囲】
【請求項１】
第１導電部材及び第２導電部材、ならびに前記第１導電部材と前記第２導電部材との間に挟まれる位置に配置された第３導電部材を有する導電路に流れる電流を磁界の強度に基づいて検出する電流センサの配置構造であって、
前記導電路は、
前記第１乃至第３導電部材の一部が並列して配置された第１並列部と、
前記第１並列部よりも広い間隔で前記第１乃至第３導電部材の一部が並列して配置された第２並列部と、
前記第１並列部から前記第２並列部に向かって前記第１及び第２導電部材の一部が前記第３導電部材から離間する方向に延在する第３並列部とを有し、
前記電流センサは、感磁部に最も近い部位を流れる電流によって発生する磁界の向きにその感度軸が沿うように、前記第２又は第３並列部における前記第１乃至第３導電部材に近接して配置された
電流センサの配置構造。
【請求項２】
前記電流センサは、前記第２並列部における前記第３導電部材に近接して配置されると共に、前記第３並列部における前記第１及び第２導電部材に近接して配置された、
請求項１に記載の電流センサの配置構造。
【請求項３】
前記第３並列部における前記第１及び第２導電部材は、前記第１並列部における前記第１及び第２導電部材を延長した延長線とのなす角が１０°〜９０°である、
請求項１又は２に記載の電流センサの配置構造。
【請求項４】
前記第１乃至第３導電部材に近接して配置された前記電流センサは、モールド樹脂によって一体に覆われている、
請求項１乃至３の何れか１項に記載の電流センサの配置構造。
【請求項５】
前記モールド樹脂は、前記電流センサを含む前記第１乃至第３導電部材の少なくとも一部を一体に覆っている、
請求項４に記載の電流センサの配置構造。
【請求項６】
前記電流センサは、前記感磁部として巨大磁気抵抗効果を有するＧＭＲ素子を有するＧＭＲセンサである、
請求項１乃至５の何れか１項に記載の電流センサの配置構造。
【請求項７】
第１導電部材及び第２導電部材、ならびに前記第１導電部材と前記第２導電部材との間に挟まれる位置に配置された第３導電部材を有する導電路と、
前記導電路の少なくとも一部を収容するハウジングと、
前記導電路に流れる電流を磁界の強度に基づいて検出する電流センサとを備え、
前記導電路は、
前記第１乃至第３導電部材の一部が並列して配置された第１並列部と、
前記第１並列部よりも広い間隔で前記第１乃至第３導電部材の一部が並列して配置された第２並列部と、
前記第１並列部から前記第２並列部に向かって前記第１及び第２導電部材の一部が前記第３導電部材から離間する方向に延在する第３並列部とを有し、
前記電流センサは、感磁部に最も近い部位を流れる電流によって発生する磁界の向きにその感度軸が沿うように、前記第２又は第３並列部における前記第１乃至第３導電部材に近接して配置された
コネクタ。
【請求項８】
請求項７に記載のコネクタと、
前記第１乃至第３導電部材から導出された第１乃至第３の電線とを備えた
ワイヤハーネス。
【発明の詳細な説明】
【技術分野】
【０００１】
本発明は、磁界の強度に基づいて電流を検出する電流センサの配置構造、ならびに当該電流センサを搭載したコネクタ及びワイヤハーネスに関する。
【背景技術】
【０００２】
従来、インバータ装置と例えば三相モータ等の電気機器との間における複数のケーブルに流れる電流を検出する電流検出装置が搭載されたコネクタ付きケーブルが知られている（例えば、特許文献１参照。）。
【０００３】
特許文献１に記載のコネクタ付きケーブルは、インバータ装置からの電流を電気機器に供給するための複数の導体線（導電部材）と、複数の導体線とインバータ装置とを接続するコネクタとを備えている。コネクタは、複数の導体線の一端部に通電可能に接続された複数のバスバーと、複数のバスバー及び複数の導体線の一部を一括して覆うカバー部材と、カバー部材の内部に配置された電流検出装置とを有している。電流検出装置は、各導体線に対応するホールＩＣを複数備え、複数のホールＩＣで検出された磁界の強度に基づいて複数の導体線に流れる電流を検出している。
【先行技術文献】
【特許文献】
【０００４】
【特許文献１】特開２０１３−１０５７１４号公報
【発明の概要】
【発明が解決しようとする課題】
【０００５】
特許文献１に記載のコネクタ付きケーブルでは、小型化に伴って複数の導体線が互いに近接して配置されているため、各ホールＩＣが対応する導体線以外の導体線に流れる電流によって発生した磁界の強度も検出してしまい、各ホールＩＣの検出対象である導体線に流れる電流を正確に検出することが難しいといった問題があった。
【０００６】
そこで、本発明は、各導電部材に流れる電流によって発生する磁界の干渉を抑制して検出対象の電流を精度よく検出することが可能な電流センサの配置構造、コネクタ、及びワイヤハーネスを提供することを目的とする。
【課題を解決するための手段】
【０００７】
本発明は、上記課題を解決することを目的として、第１導電部材及び第２導電部材、ならびに前記第１導電部材と前記第２導電部材との間に挟まれる位置に配置された第３導電部材を有する導電路に流れる電流を磁界の強度に基づいて検出する電流センサの配置構造であって、前記導電路は、前記第１乃至第３導電部材の一部が並列して配置された第１並列部と、前記第１並列部よりも広い間隔で前記第１乃至第３導電部材の一部が並列して配置された第２並列部と、前記第１並列部から前記第２並列部に向かって前記第１及び第２導電部材の一部が前記第３導電部材から離間する方向に延在する第３並列部とを有し、前記電流センサは、感磁部に最も近い部位を流れる電流によって発生する磁界の向きにその感度軸が沿うように、前記第２又は第３並列部における前記第１乃至第３導電部材に近接して配置された電流センサの配置構造を提供する。
【０００８】
また、本発明は、上記課題を解決することを目的として、第１導電部材及び第２導電部材、ならびに前記第１導電部材と前記第２導電部材との間に挟まれる位置に配置された第３導電部材を有する導電路と、前記導電路の少なくとも一部を収容するハウジングと、前記導電路に流れる電流を磁界の強度に基づいて検出する電流センサとを備え、前記導電路は、前記第１乃至第３導電部材の一部が並列して配置された第１並列部と、前記第１並列部よりも広い間隔で前記第１乃至第３導電部材の一部が並列して配置された第２並列部と、前記第１並列部から前記第２並列部に向かって前記第１及び第２導電部材の一部が前記第３導電部材から離間する方向に延在する第３並列部とを有し、前記電流センサは、感磁部に最も近い部位を流れる電流によって発生する磁界の向きにその感度軸が沿うように、前記第２又は第３並列部における前記第１乃至第３導電部材に近接して配置されたコネクタを提供する。
【０００９】
また、本発明は、上記課題を解決することを目的として、前記コネクタと、前記第１乃至第３導電部材から導出された第１乃至第３の電線とを備えたワイヤハーネスを提供する。
【発明の効果】
【００１０】
本発明に係る電流センサの配置構造、コネクタ、及びワイヤハーネスによれば、各導電部材に流れる電流によって発生する磁界の干渉を抑制して検出対象の電流を精度よく検出することが可能である。
【図面の簡単な説明】
【００１１】
【図１】本発明の実施の形態に係るワイヤハーネスの一構成例を示す斜視図である。
【図２】導電路及び導電路における第１乃至第３の電流センサの配置構造を模式的に示す平面図である。
【図３】導電路に流れる電流によって発生した磁界の向きと第１乃至第３の電流センサの感度軸の向きとの関係を模式的に示す説明図である。
【図４】本発明の実施の形態の変形例１に係る導電路及び導電路における第１乃至第３の電流センサの配置構造を模式的に示す平面図である。
【図５】本発明の実施の形態の変形例２に係る導電路及び導電路における第１乃至第３の電流センサの配置構造を模式的に示す平面図である。
【発明を実施するための形態】
【００１２】
［実施の形態］
このワイヤハーネスは、例えば車両の駆動源としての三相モータのＵ相、Ｖ相、Ｗ相の各相にインバータから出力される交流電流を供給するために用いられる。
【００１３】
（ワイヤハーネス１の構成）
まず、ワイヤハーネス１の構成について、図１を参照して説明する。
【００１４】
図１は、本発明の実施の形態に係るワイヤハーネス１の一構成例を示す斜視図である。
【００１５】
ワイヤハーネス１は、インバータ側に設けられた出力用端子（図略）に電気的に接続されるコネクタ１０と、三相モータのＵ相、Ｖ相、及びＷ相にインバータからの電流を供給する第１乃至第３の電線１１〜１３とを備えている。三相モータのＵ相に第１の電線１１が、Ｖ相に第２の電線１２が、Ｗ相に第３の電線１３が、それぞれ接続されている。
【００１６】
コネクタ１０は、第１導電部材としてのＵ相の接続端子２１及び第２導電部材としてのＶ相の接続端子２２、ならびにＵ相の接続端子２１とＶ相の接続端子２２との間に挟まれる位置に配置された第３導電部材としてのＷ相の接続端子２３を有する導電路２と、導電路２の少なくとも一部を収容するハウジング３と、導電路２に流れる電流を検出する複数の電流センサ（後述）とを備えている。
【００１７】
ワイヤハーネス１において、Ｕ相の接続端子２１が第１の電線１１の一端部に、Ｖ相の接続端子２２が第２の電線１２の一端部に、Ｗ相の接続端子２３が第３の電線１３の一端部に、それぞれ接続されている。
【００１８】
ハウジング３は、第１乃至第３の電線１１〜１３の導出側とは反対側に開口３ａを有し、この開口３ａから外部に向かってＵ相の接続端子２１、Ｖ相の接続端子２２、及びＷ相の接続端子２３が突出している。
【００１９】
ハウジング３の開口３ａから外部に向けて突出したＵ相の接続端子２１、Ｖ相の接続端子２２、及びＷ相の接続端子２３の先端部には、出力用端子（図略）と接続するためのボルト（図略）を挿通させるための挿通孔２１２ａ，２２２ａ，２３２ａが形成されている。
【００２０】
また、Ｕ相の接続端子２１、Ｖ相の接続端子２２、及びＷ相の接続端子２３は、挿通孔２１２ａ，２２２ａ，２３２ａを含む先端部を除いた部分がモールド樹脂４によって一体に覆われている。このモールド樹脂４は、Ｕ相の接続端子２１、Ｖ相の接続端子２２、及びＷ相の接続端子２３の一部と共にハウジング３に収容されている。
【００２１】
ハウジング３は、Ｕ相の接続端子２１、Ｖ相の接続端子２２、及びＷ相の接続端子２３の一部及びモールド樹脂４を内部に収容する収容部３１と、収容部３１の開口３ａ側における外周面から張り出して形成されたフランジ部３２とを一体に有している。フランジ部３２は、Ｕ相の接続端子２１、Ｖ相の接続端子２２、及びＷ相の接続端子２３の並び方向に、コネクタ１０を筐体等に取り付けるためのボルト（図略）を挿通させる一対のボルト孔３２ａが形成されている。
【００２２】
（導電路２の構成）
次に、導電路２の構成について、図２を参照して説明する。
【００２３】
図２は、導電路２及び導電路２における第１乃至第３の電流センサ５１〜５３の配置構造を模式的に示す平面図である。図２では、Ｕ相の接続端子２１、Ｖ相の接続端子２２、及びＷ相の接続端子２３は、左側からＵ相の接続端子２１、Ｗ相の接続端子２３、Ｖ相の接続端子２２の順に配置されている。
【００２４】
導電路２は、Ｕ相の接続端子２１、Ｖ相の接続端子２２、及びＷ相の接続端子２３の一部が並列して配置された第１並列部２ａと、第１並列部２ａよりも広い間隔でＵ相の接続端子２１、Ｖ相の接続端子２２、及びＷ相の接続端子２３の一部が並列して配置された第２並列部２ｂと、第１並列部２ａから第２並列部２ｂに向かってＵ相の接続端子２１及びＶ相の接続端子２２の一部がＷ相の接続端子２３から離間する方向に延在する第３並列部２ｃとを有している。
【００２５】
本実施の形態では、第１及び第２並列部２ａ，２ｂにおいて、Ｕ相の接続端子２１、Ｖ相の接続端子２２、及びＷ相の接続端子２３が第１乃至第３の電線１１〜１３の軸方向に沿って直線状に形成され、第１乃至第３の電線１１〜１３の並び方向に沿って互いに平行に並列している。なお、これに限らず、例えば第１及び第２並列部２ａ，２ｂにおけるＵ相の接続端子２１がＶ相の接続端子２２やＷ相の接続端子２３に対して−１０°〜＋１０°程度傾いて形成されていてもよい。
【００２６】
Ｕ相の接続端子２１は、第１並列部２ａを構成する第１直線部２１１と、第２並列部２ｂを構成する第２直線部２１２と、第３並列部２ｃを構成する延在部２１３と、第１の電線１１の先端において絶縁体１１ｂから露出した芯線１１ａを加締める加締め部２１４とを一体に有している。
【００２７】
より具体的には、第１直線部２１１は、加締め部２１４から第１の電線１１の軸方向に沿って直線状に延びて形成されている。延在部２１３は、第１直線部２１１の長手方向における加締め部２１４とは反対側の一端から第１直線部２１１に直交する方向にＷ相の接続端子２３から離間するように延びて形成されている。第２直線部２１２は、延在部２１３の延在方向における第１直線部２１１とは反対側の一端から延在部２１３に直交する方向、かつ第１直線部２１１とは反対側に向かって直線状に延びて形成されている。
【００２８】
したがって、第１直線部２１１は、Ｕ相の接続端子２１、Ｖ相の接続端子２２、及びＷ相の接続端子２３の並び方向において第２直線部２１２よりもＷ相の接続端子２３側に配置されている。すなわち、図２において、第２直線部２１２とＷ相の接続端子２３との間の距離Ｄ１は、第１直線部２１１とＷ相の接続端子２３との間の距離ｄ１よりも広い。なお、本実施の形態では、第１直線部２１１と第２直線部２１２とは平行である。
【００２９】
Ｖ相の接続端子２２は、Ｕ相の接続端子２１と同様の構成を有しており、第１並列部２ａを構成する第１直線部２２１と、第２並列部２ｂを構成する第２直線部２２２と、第３並列部２ｃを構成する延在部２２３と、第２の電線１２の先端において絶縁体１２ｂから露出した芯線１２ａを加締める加締め部２２４とを一体に有している。
【００３０】
そして、第１直線部２２１は、Ｕ相の接続端子２１、Ｖ相の接続端子２２、及びＷ相の接続端子２３の並び方向において第２直線部２２２よりもＷ相の接続端子２３側に配置されており、図２において、第２直線部２２２とＷ相の接続端子２３との間の距離Ｄ２は、第１直線部２２１とＷ相の接続端子２３との間の距離ｄ２よりも広い。
【００３１】
すなわち、Ｕ相の接続端子２１とＶ相の接続端子２２とは、Ｗ相の接続端子２３を中心とした対称形状を有している。なお、本実施の形態では、Ｕ相の接続端子２１の延在部２１３とＶ相の接続端子２２の延在部２２３とが延在方向に並んで配置されているが、これに限らず、例えばＶ相の接続端子２２の延在部２２３がＵ相の接続端子２１の延在部２１３に対して第１乃至第３の電線１１〜１３の軸方向に沿ってずれて配置されていてもよい。
【００３２】
Ｗ相の接続端子２３は、第１並列部２ａを構成する第１直線部２３１と、第２並列部２ｂを構成する第２直線部２３２と、第３並列部２ｃを構成する第３直線部２３３と、第３の電線１３の先端において絶縁体１３ｂから露出した芯線１３ａを加締める加締め部２３４とを一体に有している。つまり、Ｗ相の接続端子２３の第１乃至第３直線部２３１〜２３３は、第３の電線１３の軸方向に沿って直線状に連続して延びて形成されている。
【００３３】
以上より、第１並列部２ａは、Ｕ相の接続端子２１、Ｖ相の接続端子２２、及びＷ相の接続端子２３の第１直線部２１１，２２１，２３１によって構成され、第２並列部２ｂは、Ｕ相の接続端子２１、Ｖ相の接続端子２２、及びＷ相の接続端子２３の第２直線部２１２，２２２，２３２によって構成され、第３並列部２ｃは、Ｕ相の接続端子２１及びＶ相の接続端子２２の延在部２１３，２２３ならびにＷ相の接続端子２３の第３直線部２３３によって構成されている。
【００３４】
そして、Ｕ相の接続端子２１、Ｖ相の接続端子２２、及びＷ相の接続端子２３は、第２直線部２１２，２２２，２３２の配置間隔（Ｄ１，Ｄ２）が、第１直線部２１１，２２１，２３１の配置間隔（ｄ１，ｄ２）よりも広くなっている。
【００３５】
なお、本実施の形態では、Ｕ相の接続端子２１の第２直線部２１２とＷ相の接続端子２３との間の距離Ｄ１と、Ｖ相の接続端子２２の第２直線部２２２とＷ相の接続端子２３との間の距離Ｄ２とは等しく（Ｄ１＝Ｄ２）、Ｕ相の接続端子２１の第１直線部２１１とＷ相の接続端子２３との間の距離ｄ１と、Ｖ相の接続端子２２の第１直線部２２１とＷ相の接続端子２３との間の距離ｄ２とは等しい（ｄ１＝ｄ２）。
【００３６】
（第１乃至第３の電流センサ５１〜５３の配置構造）
Ｕ相の接続端子２１には、第１直線部２１１、第２直線部２１２、及び延在部２１３のそれぞれの延伸方向に沿って、第１直線部２１１、延在部２１３、第２直線部２１２の順に電流Ｉ１が流れている。同様にして、Ｖ相の接続端子２２には、第１直線部２２１、第２直線部２２２、及び延在部２２３のそれぞれの延伸方向に沿って、第１直線部２２１、延在部２２３、第２直線部２２２の順に電流Ｉ２が流れている。
【００３７】
そして、Ｗ相の接続端子２３には、第１乃至第３直線部２３１〜２３３の延伸方向に沿って、第１直線部２３１、第３直線部２３３、第２直線部２３２の順に電流Ｉ３が流れている。
【００３８】
導電路２には、導電路２に流れる電流を磁界の強度に基づいて検出する第１乃至第３の電流センサ５１〜５３が配置されている。第１乃至第３の電流センサ５１〜５３は、モールド樹脂４（図１参照）によって一体に覆われている。
【００３９】
本実施の形態では、第１乃至第３の電流センサ５１〜５３は、感磁部５１０，５２０，５３０として巨大磁気抵抗効果を有するＧＭＲ素子を有するＧＭＲセンサである。ここで、巨大磁気抵抗効果（ＧＭＲ；Giant Magneto Resistive effect）とは、小さな磁界の変化に対して大きな電気抵抗の変化を得ることができるものである。
【００４０】
第１の電流センサ５１は、第３並列部２ｃにおけるＵ相の接続端子２１（Ｕ相の接続端子２１の延在部２１３）に近接して配置され、感磁部５１０に最も近い部位（延在部２１３）を流れる電流Ｉ１によって発生する磁界の強度に基づいて電流Ｉ１を検出する。
【００４１】
第２の電流センサ５２は、第３並列部２ｃにおけるＶ相の接続端子２２（Ｖ相の接続端子２２の延在部２２３）に近接して配置され、感磁部５２０に最も近い部位（延在部２２３）を流れる電流Ｉ２によって発生する磁界の強度に基づいて電流Ｉ２を検出する。
【００４２】
第３の電流センサ５３は、第２並列部２ｂにおけるＷ相の接続端子２３（Ｗ相の接続端子２３の第２直線部２３２）に近接して配置され、感磁部５３０に最も近い部位（第２直線部２３２）を流れる電流Ｉ３によって発生する磁界の強度に基づいて電流Ｉ３を検出する。
【００４３】
なお、第１乃至第３の電流センサ５１〜５３は、上記の配置構造に限らず、感磁部５１０，５２０，５３０に最も近い部位を流れる電流Ｉ１，Ｉ２，Ｉ３によって発生する磁界の向きにその感度軸が沿うように、第２又は第３並列部２ｂ，２ｃにおけるＵ相の接続端子２１、Ｖ相の接続端子２２、及びＷ相の接続端子２３に近接して配置されていればよい。例えば、Ｕ相の接続端子２１において、第２直線部２１２と延在部２１３とが交差する交差部に第１の電流センサ５１が配置されていてもよい。
【００４４】
（導電路２で発生する磁界の向きについて）
次に、導電路２で発生する磁界の向きについて、図３を参照して説明する。
【００４５】
図３は、導電路２に流れる電流によって発生する磁界の向きと第１乃至第３の電流センサ５１〜５３の感度軸の向きとの関係を模式的に示す説明図である。
【００４６】
なお、ここでは、一例としてＵ相の接続端子２１、Ｖ相の接続端子２２、及びＷ相の接続端子２３に流れる電流Ｉ１，Ｉ２，Ｉ３が全て同一方向である場合について説明する。
【００４７】
第１の電流センサ５１は、Ｕ相の接続端子２１の延在部２１３に流れる電流Ｉ１によって発生する磁界Ｂ２１３の向きに感度軸が沿うように配置されている。本実施の形態では、第１の電流センサ５１の感度軸は、延在部２１３の延在方向に直交し、かつ第２直線部２１２側から第１直線部２１１側に向かう方向である。
【００４８】
ここで、Ｗ相の接続端子２３の第３直線部２３３に流れる電流Ｉ３によって発生する磁界Ｂ２３３は、第１の電流センサ５１の配置位置での向きが、第１の電流センサ５１の感度軸に対して直交する方向であるため、第１の電流センサ５１は磁界Ｂ２３３の影響を受けない。
【００４９】
第２の電流センサ５２は、Ｖ相の接続端子２２の延在部２２３に流れる電流Ｉ２によって発生する磁界Ｂ２２３の向きに感度軸が沿うように配置されている。本実施の形態では、第２の電流センサ５２の感度軸は、延在部２２３の延在方向に直交し、かつ第１直線部２２１側から第２直線部２２２側に向かう方向である。
【００５０】
第１の電流センサ５１と同様に、Ｗ相の接続端子２３の第３直線部２３３に流れる電流Ｉ３によって発生する磁界Ｂ２３３は、第２の電流センサ５２の配置位置での向きが、第２の電流センサ５２の感度軸に対して直交する方向であるため、第２の電流センサ５２は磁界Ｂ２３３の影響を受けない。
【００５１】
第３の電流センサ５３は、Ｗ相の接続端子２３の第２直線部２３２に流れる電流Ｉ３によって発生する磁界Ｂ２３２の向きに感度軸が沿うように配置されている。本実施の形態では、第３の電流センサ５３の感度軸は、第２直線部２３２の延伸方向に直交し、かつＶ相の接続端子２２側からＵ相の接続端子２１側に向かう方向である。
【００５２】
ここで、第２並列部２ｂ（第２直線部２１２，２２２，２３２）は、第１並列部２ａ（第１直線部２１１，２２１，２３１）よりも広い間隔で並列しているため、第３の電流センサ５３は、Ｕ相の接続端子２１の第２直線部２１２に流れる電流Ｉ１によって発生する磁界Ｂ２１２及びＶ相の接続端子２２の第２直線部２２２に流れる電流Ｉ２によって発生する磁界Ｂ２２２の影響を受けにくい。
【００５３】
（実施の形態の作用及び効果）
以上説明した実施の形態によれば、以下のような作用及び効果が得られる。
【００５４】
（１）第１乃至第３の電流センサ５１〜５３は、感磁部５１０，５２０，５３０に最も近い部位を流れる電流Ｉ１，Ｉ２，Ｉ３によって発生する磁界の向きにその感度軸が沿うように、第２又は第３並列部２ｂ，２ｃにおけるＵ相の接続端子２１、Ｖ相の接続端子２２、及びＷ相の接続端子２３に近接して配置されているため、Ｕ相の接続端子２１、Ｖ相の接続端子２２、及びＷ相の接続端子２３の間における磁界の干渉を抑制して、第１乃至第３の電流センサ５１〜５３それぞれの検出対象の電流を精度よく検出することが可能となる。
【００５５】
（２）第３の電流センサ５３は、第２並列部２ｂにおけるＷ相の接続端子２３（Ｗ相の接続端子２３の第２直線部２３２）に近接して配置されると共に、第１及び第２の電流センサ５１，５２はそれぞれ、第３並列部２ｃにおけるＵ相の接続端子２１及びＶ相の接続端子２２（Ｕ相の接続端子２１の延在部２１３及びＶ相の接続端子２２の延在部２２３）に近接して配置されているため、第１及び第２の電流センサ５１，５２は、Ｗ相の接続端子２３に流れる電流Ｉ３によって発生した磁界の影響を受けず、第３の電流センサ５３は、Ｕ相の接続端子２１に流れる電流Ｉ１及びＶ相の接続端子２２に流れるＩ２によって発生した磁界の影響を受けにくい。これにより、第１乃至第３の電流センサ５１〜５３は、それぞれの検出対象の電流をより精度よく検出することが可能となる。
【００５６】
（３）Ｕ相の接続端子２１、Ｖ相の接続端子２２、及びＷ相の接続端子２３の少なくとも一部、ならびに第１乃至第３の電流センサ５１〜５３は、モールド樹脂４によって一体に覆われていることにより、外部からの水等の侵入を抑制している。
【００５７】
（４）第１乃至第３の電流センサ５１〜５３は、感磁部５１０，５２０，５３０としてＧＭＲ素子を有するＧＭＲセンサを用いているため、例えばホールＩＣ等のセンサと比較して感度がよく、発生する磁界の強度をダイナミックレンジ（例えば０．００２ｍＴ〜２．０００ｍＴ）で精度よく検出することが可能である。
【００５８】
（５）Ｕ相の接続端子２１とＶ相の接続端子２２とは対称形状を有しているため、共通化された部材を利用することができ、コストの削減につながる。
【００５９】
（変形例１）
また、実施の形態に係る導電路２は、以下のように変形して実施することが可能である。
【００６０】
図４は、本発明の実施の形態の変形例１に係る導電路２及び導電路２における第１乃至第３の電流センサ５１〜５３の配置構造を模式的に示す平面図である。
【００６１】
本変形例１では、第３並列部２ｃにおけるＵ相の接続端子２１及びＷ相の接続端子２３の形状、換言すればＵ相の接続端子２１の延在部２１３及びＶ相の接続端子２２の延在部２２３の形状が、実施の形態のものと異なる。
【００６２】
Ｕ相の接続端子２１及びＶ相の接続端子２２の延在部２１３，２２３は、第１直線部２１１，２２１に対してそれぞれ傾斜して形成されている。図４では、延在部２１３，２２３の延在方向に沿った中心線と第１直線部２１１，２２１の延伸方向に沿った中心線を延在部２１３，２２３側に延長した延長線とのなす角θが約４５°である。
【００６３】
なお、これに限らず、第３並列部２ｃにおけるＵ相の接続端子２１及びＶ相の接続端子２２は、第１並列部２ａにおけるＵ相の接続端子２１及びＶ相の接続端子２２を延長した延長線とのなす角θが１０°〜９０°であればよい。
【００６４】
また、本変形例１におけるＵ相の接続端子２１及びＶ相の接続端子２２は、実施の形態と同様に、Ｗ相の接続端子２３を中心とした対称形状を有している。
【００６５】
本変形例１では、第１の電流センサ５１は、その感度軸が、Ｕ相の接続端子２１の延在部２１３の延在方向に直交し、かつＷ相の接続端子２３側から離れる方向である。第２の電流センサ５２は、実施の形態と同様に、その感度軸は、Ｗ相の接続端子２３の第２直線部２３２の延伸方向に直交し、かつＶ相の接続端子２２側からＵ相の接続端子２１側に向かう方向である。第３の電流センサ５３は、その感度軸が、Ｖ相の接続端子２２の延在部２２３の延在方向に直交し、かつＷ相の接続端子２３側に向かう方向である。
【００６６】
本変形例１によっても、実施の形態における（１）〜（５）の作用及び効果と同様の作用及び効果が得られる。
【００６７】
（変形例２）
また、変形例１の他に、実施の形態に係る導電路２は、以下のように変形して実施することが可能である。
【００６８】
図５は、本発明の実施の形態の変形例２に係る導電路２及び導電路２における第１乃至第３の電流センサ５１〜５３の配置構造を模式的に示す平面図である。
【００６９】
本変形例２では、Ｕ相の接続端子２１及びＶ相の接続端子２２の第２直線部２１２，２２２は、それぞれの先端部（挿通孔２１２ａ，２２２ａが形成された端部）がＷ相の接続端子２３に接近して形成されている。すなわち、Ｕ相の接続端子２１及びＶ相の接続端子２２の第２直線部２１２，２２２は、延在部２１３，２２３の延在方向に対して傾斜する方向に延びている。延在部２１３，２２３と第２直線部２１２，２２２とがなす角は、鋭角である。
【００７０】
したがって、本変形例２に係る導電路２では、第１並列部２ａの並列間隔と同じ又は狭い間隔でＵ相の接続端子２１、Ｖ相の接続端子２２、及びＷ相の接続端子２３の一部が並列して配置された第４並列部２ｄが、第２並列部２ｂから連続して、導電路２の先端側に形成されている。
【００７１】
より具体的には、Ｕ相の接続端子２１とＷ相の接続端子２３との間において、第２並列部２ｂにおける第２直線部２１２，２３２の配置間隔Ｄ１１は、第１直線部２１１，２３１の配置間隔ｄ１よりも大きく、第４並列部２ｄにおける第２直線部２１２，２３２の配置間隔Ｄ１２は、第１直線部２１１，２３１の配置間隔ｄ１と同じ又は狭く形成されている。
【００７２】
同様に、Ｖ相の接続端子２２とＷ相の接続端子２３との間において、第２並列部２ｂにおける第２直線部２２２，２３２の配置間隔Ｄ２１は、第１直線部２１１，２３１の配置間隔ｄ２よりも大きく、第４並列部２ｄにおける第２直線部２２２，２３２の配置間隔Ｄ２２は、第１直線部２１１，２３１の配置間隔ｄ１と同じ又は狭く形成されている。
【００７３】
つまり、導電路２は、少なくとも第１並列部２ａ、第１並列部２ａよりも広い間隔を有する第２並列部２ｂ、及び第３並列部２ｃを有していればよく、本変形例２のように第１乃至第３並列部２ａ，２ｂ，２ｃの他に第４並列部２ｄを有していてもよい。
【００７４】
本変形例２におけるＵ相の接続端子２１及びＶ相の接続端子２２は、実施の形態及び変形例１と同様に、Ｗ相の接続端子２３を中心とした対称形状を有している。
【００７５】
本変形例２によっても、実施の形態における（１）〜（５）の作用及び効果と同様の作用及び効果が得られる。また、Ｕ相の接続端子２１及びＶ相の接続端子２２の第２直線部２１２，２２２は、それぞれの先端部（挿通孔２１２ａ，２２２ａが形成された端部）がＷ相の接続端子２３に接近して形成されているため、Ｕ相の接続端子２１、Ｖ相の接続端子２２、及びＷ相の接続端子２３それぞれのボルト締めを近い位置で行うことが可能である。
【００７６】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００７７】
［１］第１導電部材（Ｕ相の接続端子２１）及び第２導電部材（Ｖ相の接続端子２２）、ならびにＵ相の接続端子２１とＶ相の接続端子２２との間に挟まれる位置に配置された第３導電部材（Ｗ相の接続端子２３）を有する導電路（２）に流れる電流Ｉ１，Ｉ２，Ｉ３を磁界の強度に基づいて検出する電流センサ（第１乃至第３の電流センサ５１〜５３）の配置構造であって、導電路（２）は、Ｕ相の接続端子（２１）、Ｖ相の接続端子（２２）、及びＷ相の接続端子（２３）の一部が並列して配置された第１並列部（２ａ）と、第１並列部（２ａ）よりも広い間隔でＵ相の接続端子（２１）、Ｖ相の接続端子（２２）、及びＷ相の接続端子（２３）の一部が並列して配置された第２並列部（２ｂ）と、第１並列部（２ａ）から第２並列部（２ｂ）に向かってＵ相の接続端子（２１）及びＶ相の接続端子（２２）の一部がＷ相の接続端子（２３）から離間する方向に延在する第３並列部（２ｃ）とを有し、第１乃至第３の電流センサ（５１〜５３）は、感磁部（５１０，５２０，５３０）に最も近い部位を流れる電流によって発生する磁界の向きにその感度軸が沿うように、第２又は第３並列部（２ｂ，２ｃ）におけるＵ相の接続端子（２１）、Ｖ相の接続端子（２２）、及びＷ相の接続端子（２３）に近接して配置された第１乃至第３の電流センサ（５１〜５３）の配置構造。
【００７８】
［２］第１乃至第３の電流センサ（５１〜５３）は、第２並列部（２ｂ）におけるＷ相の接続端子（２３）に近接して配置されると共に、第３並列部（２ｃ）におけるＵ相の接続端子（２１）及びＶ相の接続端子（２２）に近接して配置された、［１］に記載の第１乃至第３の電流センサ（５１〜５３）の配置構造。
【００７９】
［３］第３並列部（２ｃ）におけるＵ相の接続端子（２１）及びＶ相の接続端子（２２）は、第１並列部（２ａ）におけるＵ相の接続端子（２１）及びＶ相の接続端子（２２）を延長した延長線とのなす角が１０°〜９０°である、［１］又は［２］に記載の第１乃至第３の電流センサ（５１〜５３）の配置構造。
【００８０】
［４］Ｕ相の接続端子（２１）、Ｖ相の接続端子（２２）、及びＷ相の接続端子（２３）に近接して配置された第１乃至第３の電流センサ（５１〜５３）は、モールド樹脂（４）によって一体に覆われている、［１］乃至［３］の何れか１項に記載の第１乃至第３の電流センサ（５１〜５３）の配置構造。
【００８１】
［５］モールド樹脂（４）は、第１乃至第３の電流センサ（５１〜５３）を含むＵ相の接続端子（２１）、Ｖ相の接続端子（２２）、及びＷ相の接続端子（２３）の少なくとも一部を一体に覆っている、［４］に記載の第１乃至第３の電流センサ（５１〜５３）の配置構造。
【００８２】
［６］第１乃至第３の電流センサ（５１〜５３）は、感磁部（５１０，５２０，５３０）として巨大磁気抵抗効果を有するＧＭＲ素子を有するＧＭＲセンサである、［１］乃至［５］の何れか１項に記載の第１乃至第３の電流センサ（５１〜５３）の配置構造。
【００８３】
［７］Ｕ相の接続端子（２１）及びＶ相の接続端子（２２）、ならびにＵ相の接続端子（２１）とＶ相の接続端子（２２）との間に挟まれる位置に配置されたＷ相の接続端子（２３）を有する導電路（２）と、導電路（２）の少なくとも一部を収容するハウジング（３）と、導電路（２）に流れる電流Ｉ１，Ｉ２，Ｉ３を磁界の強度に基づいて検出する第１乃至第３の電流センサ（５１〜５３）とを備え、導電路（２）は、Ｕ相の接続端子（２１）、Ｖ相の接続端子（２２）、及びＷ相の接続端子（２３）の一部が並列して配置された第１並列部（２ａ）と、第１並列部（２ａ）よりも広い間隔でＵ相の接続端子（２１）、Ｖ相の接続端子（２２）、及びＷ相の接続端子（２３）の一部が並列して配置された第２並列部（２ｂ）と、第１並列部（２ａ）から第２並列部（２ｂ）に向かってＵ相の接続端子（２１）及びＶ相の接続端子（２２）の一部がＷ相の接続端子（２３）から離間する方向に延在する第３並列部（２ｃ）とを有し、第１乃至第３の電流センサ（５１〜５３）は、感磁部（５１０，５２０，５３０）に最も近い部位を流れる電流によって発生する磁界の向きにその感度軸が沿うように、第２又は第３並列部（２ｂ，２ｃ）におけるＵ相の接続端子（２１）、Ｖ相の接続端子（２２）、及びＷ相の接続端子（２３）に近接して配置されたコネクタ（１０）。
【００８４】
［８］［７］に記載のコネクタ（１０）と、Ｕ相の接続端子（２１）、Ｖ相の接続端子（２２）、及びＷ相の接続端子（２３）から導出された第１乃至第３の電線（１１〜１３）とを備えたワイヤハーネス（１）。
【００８５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００８６】
本発明は、その趣旨を逸脱しない範囲で適宜変形して実施することが可能である。例えば、上記実施の形態では、導電路２は、コネクタ１０に適用されている場合について説明したが、これに限らず、電気回路の一部に電流センサが配置される場合等にも適用することが可能である。
【００８７】
また、上記実施の形態では、Ｕ相の接続端子２１、Ｖ相の接続端子２２、及びＷ相の接続端子２３のそれぞれに１つの電流センサが配置されていたが、これに限らず、用途に応じて電流センサの個数を変更することが可能である。
【００８８】
また、上記実施の形態では、Ｕ相の接続端子２１、Ｖ相の接続端子２２、及びＷ相の接続端子２３に流れる電流Ｉ１，Ｉ２，Ｉ３が全て同一方向である場合について説明したが、これに限らず、例えばＵ相の接続端子２１及びＶ相の接続端子２２に流れる電流Ｉ１，Ｉ２の方向に対してＷ相の接続端子２３に流れる電流Ｉ３の方向が逆向きでもよい。
【００８９】
また、電線の本数や接続端子の数に、特に制限はない。
【符号の説明】
【００９０】
１…ワイヤハーネス
２…導電路
２ａ，２ｂ，２ｃ…第１乃至第３並列部
３…ハウジング
４…モールド樹脂
１０…コネクタ
１１，１２，１３…第１乃至第３の電線
２１，２２，２３…Ｕ相，Ｖ相，Ｗ相の接続端子（第１乃至第３導電部材）
５１，５２，５３…第１乃至第３の電流センサ
５１０，５２０，５３０…感磁部
【図１】
2015155877.tif 000003
【図２】
2015155877.tif 000004
【図３】
2015155877.tif 000005
【図４】
2015155877.tif 000006
【図５】
2015155877.tif 000007